(57)【要約】ステーション、すなわち相手先機器からメニューデータを取得して、このメニューデータから表示情報を生成し、この表示情報に基づいて液晶タッチパネル等の入力機能付表示装置にメニューを表示させるようにした。表示されるメニューを生成する際に、あらかじめリモコン内に登録された個人情報に対応させて受信したメニューデータを取捨選択したり、加工することによって表示されるメニューを所持者に応じた情報となるように工夫したものである。個人情報としては、年齢、性別、決済情報等を登録しておくことが可能であり、所持者が未成年である場合にはテレビのチャンネルを制限したり、年齢によって料金の異なる交通機関、劇場、映画等では所持者の該当料金が表示されるようにしたり、あるいは性別によって料金の異なるレストラン等のメニューが適切に表示されるようにできる。さらにクレジットカード等の決済情報を格納しておくことにより、注文と同時に決済を行うことも可能となる。
2002021877.tif 000002
【特許請求の範囲】
【請求項１】
ステーションからの情報を受信して入力インターフェースを生成するリモコン装置において、
ステーションからのメニューデータを受信する受信装置と、
メニューデータを記憶する記憶装置と、
記憶装置からメニューデータを読み出して表示情報を生成するメニュー表示部と、
メニュー表示部によって生成された表示情報を表示するとともに入力を受け付ける入力機能付表示装置と、
入力機能付表示装置からの入力情報からコマンドを生成するコマンド送信部と、
コマンド送信部で生成されたコマンドを送信する送信装置とからなるリモコン装置。
【請求項２】
ステーションからの情報を受信して入力インターフェースを生成するリモコン装置において、
ステーションからのメニューデータを受信する受信装置と、
メニューデータを記憶する記憶装置と、
記憶装置からメニューデータを読み出して表示情報を生成するメニュー表示部と、
メニュー表示部によって生成された表示情報を表示するとともに入力を受け付ける入力部と、
前記入力部での入力情報からコマンドを生成するコマンド送信部と、
コマンド送信部で生成されたコマンドを送信する送信装置とからなるリモコン装置。
【請求項３】
前記記憶装置には、リモコン所持者の個人情報が蓄積されていることを特徴とする請求項２記載のリモコン装置。
【請求項４】
前記メニュー表示部は、ステーションから受信したメニューデータから前記個人情報に対応した情報のみを表示情報として入力機能付表示装置に通知することを特徴とする請求項３記載のリモコン装置。
【請求項５】
前記個人情報は年齢情報または性別情報であり、入力機能付表示装置にはリモコン所持者の年齢または性別に応じたメニュー画面が表示されることを特徴とする請求項４記載のリモコン装置。
【請求項６】
前記記憶装置には、個人情報としてリモコン所持者の決済情報が登録されていることを特徴とする請求項４記載のリモコン装置。
【請求項７】
前記個人情報は年齢情報であり、入力機能付表示装置には年齢別の料金体系にしたがったメニュー画面と入力ボタンとが表示されることを特徴とする請求項５記載のリモコン装置。
【請求項８】
前記リモコン装置は入力機能付表示装置にチャンネルが表示されるテレビ受信機操作用リモコンであり、前記個人情報は年齢情報であり、前記メニュー表示部は個人情報の年齢情報を参照することにより、年齢制限のあるチャンネルを非表示とすることを特徴とする請求項４記載のリモコン装置。
【請求項９】
前記リモコン装置は前記入力機能付表示装置に飲食物メニューが表示される飲食店における予約リモコンであり、前記個人情報は性別情報であり、前記メニュー表示部は個人情報の性別情報を参照することにより、性別に適合した飲食メニューを表示することを特徴とする請求項４記載のリモコン装置。
【請求項１０】
前記リモコン装置の記憶装置には、前記個人情報の他に初期設定情報が記録可能であり、該初期設定情報は通信先機器を登録可能であることを特徴とする請求項２記載のリモコン装置。
【請求項１１】
ステーションからの情報を受信して入力インターフェースを生成するリモコン装置の制御プログラムを記憶した記憶媒体であって、
ステーションからのメニューデータを受信するステップと、
メニューデータを記憶するステップと、
記憶装置からメニューデータを読み出して表示情報を生成するステップと、
前記で生成された表示情報を表示するとともに入力を受け付けるステップと、
前記受け付けられた入力情報からコマンドを生成するステップと、
前記で生成されたコマンドを送信するステップとからなるプログラムをコンピュータ実行可能な媒体に記憶した記憶媒体。
【請求項１２】
前記記憶装置には、リモコン所持者の個人情報が記憶されており、この個人情報を利用するステップをさらに有する請求項１１記載の記憶媒体。
【請求項１３】
前記に表示情報を生成するステップは、ステーションから受信したメニューデータから前記個人情報に対応した情報のみを表示情報として生成する請求項１１記載の記憶媒体。
【請求項１４】
前記記憶装置には、個人情報としてリモコン所持者の決済情報が登録されており、決済情報を利用するステップをさらに有する請求項１１記載の記憶媒体。
【請求項１５】
インターフェースを生成するリモコンに対して情報を送信するステーション装置であって、
メニューを識別するメニュー識別情報記憶部と、
リモコンの表示部の表示レイアウト情報を記憶する表示レイアウト情報記憶部と、
リモコンのボタンのレイアウト情報を記憶するボタンレイアウト情報記憶部と、
リモコンからステーションに送信されるべきコマンドの情報を記憶するコマンド情報記憶部と
前記各情報をメニューデータとして送信する送信部とからなるステーション装置。
【請求項１６】
インターフェースを生成するリモコンに対して情報を送信するステーション装置の制御プログラムであって、
メニューを識別するメニュー識別情報を読み出すステップと、
リモコンの表示部の表示レイアウト情報を読み出すステップと、
リモコンのボタンのレイアウト情報を読み出すステップと、
リモコンからステーションに送信されるべきコマンドの情報を読み出すステップと、
前記各情報をメニューデータとして送信するステップとからなるプログラムを記憶したコンピュータ読み取り可能な記憶媒体。
【請求項１７】
メニューを識別するメニュー識別情報記憶部と、
リモコンの表示部の表示レイアウト情報を記憶する表示レイアウト情報記憶部と、
リモコンのボタンのレイアウト情報を記憶するボタンレイアウト情報記憶部と、
リモコンからステーションに送信されるべきコマンドの情報を記憶するコマンド情報記憶部と
前記各情報をメニューデータとして送信する送信部と、
前記送信部からのメニューデータを受信する受信装置と、
メニューデータを記憶する記憶装置と、
記憶装置からメニューデータを読み出して表示情報を生成するメニュー表示部と、
メニュー表示部によって生成された表示情報を表示するとともに入力を受け付ける入力部と、
前記入力部での入力情報からコマンドを生成するコマンド送信部と、
コマンド送信部で生成されたコマンドを前記ステーションに対して送信する送信装置とからなる遠隔操作システム。
【請求項１８】
ステーションにおいて、
メニューを識別するメニュー識別情報を読み出すステップと、
リモコンの表示部の表示レイアウト情報を読み出すステップと、
リモコンのボタンのレイアウト情報を読み出すステップと、
リモコンからステーションに送信されるべきコマンドの情報を読み出すステップと、
前記各情報をメニューデータとして送信するステップと、
リモコンにおいて、
前記ステーションからのメニューデータを受信するステップと、
メニューデータを記憶装置に記憶するステップと、
前記記憶装置からメニューデータを読み出して表示情報を生成するステップと、
前記で生成された表示情報を表示するとともに入力を受け付けるステップと、
前記受け付けられた入力情報からコマンドを生成するステップと、
前記で生成されたコマンドをステーションに対して送信するステップとからなる遠隔操作方法。
【発明の詳細な説明】
技術分野
本発明はリモコン、特に相手機器によって入力インターフェースや表示情報を変化させることのできるリモコンに関する。
背景技術
電子機器の多様化にともない、家庭内でも多数の種類のリモコン（遠隔操作端末）が必要になってきている。
このようなリモコンは年々高機能化する傾向にあり、たとえばクーラーのリモコンであれば室内の温度表示が可能であったり、ビデオ装置のリモコンであれば時間表示が可能であったりする等、操作対象の機器によって独特な機能が付加されたものが多かった。
このように、多種多様なリモコンが存在するのはリモコンの管理が煩雑になるという問題があった。
そのため、特開平８−１４９５７６号公報等に提案されているように、相手先機器毎にコードメモリとして機器情報を格納しておき、相手先機器毎にボタンの機能を変化させる共通リモコンが提案されている。
さらに、相手先機器からの信号により、設定ボタンの表示を変化させる技術（特開平１０−２７１５７３号）も知られている。
ところが、前記従来技術におけるリモコンでは、たとえば相手先機器がビデオ装置であれば「録画」、「再生」、「早送り」、「巻き戻し」等の画一的な機能がボタンに配置されるかあるいは表示されるにすぎなかった。
すなわち、相手先機器の専用リモコンの機能がそれぞれの場面で実現されているのに過ぎず、相手先機器にとって必要な機能が画一的に実現されているだけだった。
本発明はこのような点に鑑みてなされたものであり、操作者を考慮して最適な機能を提供する表示インターフェースをリモコン上で実現することを技術的課題とする。
発明の開示
本発明は、ステーション、すなわち相手先機器からメニューデータを取得して、このメニューデータから表示情報を生成し、この表示情報に基づいて液晶タッチパネル等の入力機能付表示装置にメニューを表示させるようにしたものである。
また、表示されるメニューを生成する際に、あらかじめリモコン内に登録された個人情報に対応させて受信したメニューデータを取捨選択したり、加工することによって表示されるメニューを所持者に応じた情報となるように工夫したものである。
個人情報としては、年齢、性別、決済情報等を登録しておくことが可能であり、所持者が未成年である場合にはテレビのチャンネルを制限したり、年齢によって料金の異なる交通機関、劇場、映画等では所持者の該当料金が表示されるようにしたり、あるいは性別によって料金の異なるレストラン等のメニューが適切に表示されるようにできる。さらにクレジットカード等の決済情報を格納しておくことにより、注文と同時に決済を行うことも可能となる。
発明を実施するための最良の形態
図１は、本発明の一実施例であるリモコンの内部構成を示すブロック図である。
本実施例のリモコン本体１は、家庭内での使用の他、外出時にも携帯可能な筐体構造３１を有しており、該筺体の表面には図３に示すように、ＬＣＤ等の液晶タッチパネル３２が設けられ、この部分が表示装置４として構成されている。また、先端上部には赤外線受発信部３３が設けられている。
リモコン本体１の内部は、中央処理装置（ＣＰＵ）２が接続されたバス３を中心に、タッチパネル付表示装置４、ＲＡＭ５、ＲＯＭ６および通信装置７ａ，７ｂが設けられている。
ＲＡＭ５内には、メニュー識別情報５ａ，表示レイアウト情報５ｂ，ボタンレイアウト情報５ｃおよびコマンド情報５ｄが登録されている。
メニュー識別情報５ａは、相手先機器によりメニューを識別するための情報を蓄積している。表示レイアウト情報は表示装置４上で表示される情報のレイアウトを決定するための情報である。ボタンレイアウト情報５ｃはタッチパネルとして実現されるリモコンボタンの配置情報である。コマンド情報５ｄはボタン毎のコマンドを定義する情報である。
さらに、ＲＡＭ５にはユーザ情報５ｅが記憶される。このユーザ情報５ｅについては後述する。
ＲＯＭ６内には、メニューデータ受信制御プログラム６ａ，メニュー表示制御プログラム６ｂ，メニュー入力制御プログラム６ｃ，コマンド送信制御プログラム６ｄおよび初期プログラム６ｅが格納されている。
メニューデータ受信制御プログラム６ａは、通信装置７ａを通じて外部のステーション１１からメニュー情報を受信するためのプログラムである。メニュー表示制御プログラム６ｂは、表示装置４上に表示されるメニューを表示するためのプログラムである。メニュー入力制御プログラム６ｃは、表示装置４上に表示されたボタンを通じて入力されるコマンドを制御するためのプログラムである。コマンド送信制御プログラム６ｄは表示装置４上に配置されたボタンが操作されたときに通信装置７ｂを通じて外部の受信装置１２に対してコマンドを送信するためのプログラムである。
リモコン本体１の内部でのデータの流れを示したものが図２である。
まず、ステーション１１から通信装置７ａを通じてメニューデータ受信部２６ａによってメニューデータが受信される。このメニューデータ受信部２６ａはメニューデータ受信制御プログラム６ａによって実現されている。
メニューデータ受信部２６ａによって受信されたメニューデータは、ＲＡＭ５のメニュー識別情報５ａによって識別されると、表示レイアウト情報５ｂ、ボタンレイアウト情報５ｃ、コマンド情報５ｄとして記憶される。
そして、表示レイアウト情報５ｂはメニュー表示部２６ｂに、ボタンレイアウト情報５ｃはメニュー入力部２６ｃに、コマンド情報５ｄはコマンド送信部２６にそれぞれ送られる。
ここで、メニュー表示部２６ｂはメニュー表示制御プログラム６ｂによって実現されている。メニュー入力部２６ｃはメニュー入力制御プログラム６ｃによって実現されている。コマンド送信部２６ｄはコマンド送信制御プログラム６ｄによって実現されている。
メニュー表示部２６ｂによって生成されたメニュー画面は表示装置４上に表示される。また、この表示装置４上に表示されたメニュー画面で入力された入力情報は、メニュー入力部２６ｃを通じてコマンド送信部２６ｄに通知され、コマンド送信部２６ｄは通信装置７ｂを通じて受信装置１２に対してメニューで選択されたコマンドを送信する。
図３は、リモコン本体１の初期設定における液晶タッチパネル３２上の表示画面を示している。
初期プログラム６ｅが起動されると、図３に示すような初期画面が表示され、操作者の氏名、住所、年齢、性別等の個人情報が入力される。この個人情報は、ユーザ情報５ｅとしてＲＡＭ５に格納される。
図６は、リモコン本体１に対応したステーション１１側の内部構成を示すブロック図である。
ステーション１１には、ＲＯＭ６３，メニューデータ送信部６２および通信装置６１が設けられている。ＲＯＭ６３にはメニュー識別情報６３ａ，表示レイアウト情報６３ｄ，ボタンレイアウト情報６３ｃおよびコマンド情報６３ｄが登録されている。これらの情報は、メニューデータ送信部６２により読み出されて、通信装置６１を通じてリモコン本体１に送信されるようになっている。
図７は、このステーション１１の内部構成を示すブロック図である。
ステーション１１は、中央処理装置（ＣＰＵ）７１およびバス７２を中心に、第１ＲＯＭ６３および第２ＲＯＭ７３を有している。第１ＲＯＭ６３には、メニュー識別情報６３ａ，表示レイアウト情報６３ｄ，ボタンレイアウト情報６３ｃおよびコマンド情報６３ｄが格納されている。
一方、第２ＲＯＭ７３ａにはメニューデータ送信プログラム７３ａが格納されている。このメニューデータ送信プログラム７３ａによって第１ＲＯＭ６３の各種情報が読み出されると、この情報が通信装置６１を通じてリモコン本体１に送信されるようになっている。
図４は、本リモコン本体１をテレビリモコンとして用いた場合とエアコンリモコンとして用いた場合の液晶タッチパネル３２上の表示態様を示したものである。
テレビ受信機４１およびエアコン本体４２には、図６で説明したステーション１１のシステムが格納されている。
リモコン本体１をテレビ受信機４１に向けたときには、テレビ受信機４１内のステーション１１のシステムの通信装置６１よりＲＯＭ６３に格納された各情報が送信され、この情報が図２に示したメニュー表示部２６ｂで処理されてリモコン本体１の液晶タッチパネル３２上にテレビ用表示画面４１ａが表示される。
テレビ用表示画面４１ａには、チャンネル選択用の数字ボタンと、電源ボタンが表示され、このボタン領域を操作者が指先で押圧することによって液晶タッチパネル３２を通じて操作が検出されコマンド送信部２６ｄより通信装置７ｂを通じてテレビ受信機４１にコマンドを送信する。
リモコン本体１をエアコン本体４２に向けたときには、エアコン本体４２内のステーション１１のシステムの通信装置６１よりＲＯＭ６３に格納された各情報が送信され、この情報が図２に示したメニュー表示部２６ｂで処理されてリモコン本体１の液晶タッチパネル３２上にエアコン用表示画面４１ｂが表示される。
エアコン用表示画面４１ｂには、温度設定ボタン、運転切替ボタン、タイマーボタンが表示され、このボタン領域を操作者が指先で押圧することによって液晶タッチパネル３２を通じて操作が検出されコマンド送信部２６ｄより通信装置７ｂを通じてエアコン本体４２にコマンドを送信するようになっている。
図５は、リモコン本体１をハンバーガーショップ５１ａの店頭で用いた場合およびフライドチキンショップ５１ｂの店頭で用いた場合を示している。
ハンバーガーショップ５１ａの店頭にはハンバーガーショップ用ステーション５１１ａが設置されており、フライドチキンショップ５１ｂの店頭にはフライドチキンショップ用ステーション５１１ｂが設置されている。
ハンバーガーショップ用ステーション５１１ａおよびフライドチキンショップ用ステーション５１１ｂはいずれも図６で説明した構成を有している。
すなわち、ハンバーガーショップ用ステーション５１１ａのＲＯＭ６３にはハンバーガーショップ用のメニュー、たとえば「ハンバーガー」、「チーズバーガー」等の商品名および金額情報が格納されており、これらの情報がメニューデータ送信部６２によって読み出されてこれが通信装置６１を通じてリモコン本体１に送信される。リモコン本体１上には、これに対応して「ハンバーガー」、「チーズバーガー」等の商品メニューボタンや金額が表示されるようになっている。
一方、フライドチキンショップ用ステーション５１１ｂのＲＯＭ６３には、フライドチキンショップ用のメニュー、たとえば「フライドチキン」、「フライドポテト」等の商品名および金額情報が格納されており、これらの情報がメニューデータ送信部６２によって読み出されてこれが通信装置６１を通じてリモコン本体１に送信される。リモコン本体１上には、これに対応して「フライドチキン」、「フライドポテト」等の商品メニューボタンや金額が表示されるようになっている。
図８は、操作者（所持者）によってリモコンの液晶タッチパネル３２に表示される情報の違いを示したものである。
劇場８０４のステーション１１からのメニューデータを受信すると、メニュー表示制御プログラム６ｂは、ＲＡＭ５に蓄積されているユーザ情報５ｅを読み出してこのユーザ情報５ｅに対応するメニューデータのみを液晶タッチパネル３２に表示する。
すなわち、この劇場８０４では、席毎の子供料金と、大人料金とシニア料金とが設定されている。これらの料金情報がメニューデータとして各リモコン８０１，８０２，８０３で受信されると、各リモコン内のユーザ情報５ｅが読み出され、ユーザ情報５ｅ内の操作者の年齢に対応した料金種別のメニュー情報がボタンとして表示される。すなわち、リモコン８０１の操作者（所持者）が６０歳である場合には６０歳用の料金体系のボタンが、リモコン８０２の操作者（所持者）が２０歳である場合には２０歳用の料金体系のボタンが、リモコン８０３の操作者（所持者）が１０歳である場合には１０歳用の料金体系のボタンがそれぞれ表示される。
これらのボタンが操作者（所持者）によって押されると、劇場８０４のステーション１１に対して操作したボタンに対応した座席予約がなされる。
図９は、テレビ受信機４１に対して大人と子供がそれぞれのリモコン９０１，９０２で操作を行う場合の液晶タッチパネル３２に表示される情報の違いを示したものである。
テレビ受信機４１のステーション１１からのメニューデータを受信すると、メニュー表示制御プログラム６ｂは、ＲＡＭ５に蓄積されているユーザ情報５ｅを読み出してこのユーザ情報５ｅに対応するメニューデータのみをリモコン９０１，９０２液晶タッチパネル３２に表示する。
ここで、子供用のリモコン９０２には、保護者が初期設定において子供に見せたくないチャンネル（表示禁止チャンネル：ここでは３チャンネルと６チャンネル）を登録できるようにしてあり、この情報はＲＡＭ５のユーザ情報５ｅに登録されている。
したがって、ステーション１１からのメニューデータを受信した子供用リモコン９０２では、メニュー表示制御プログラム６ｂがユーザ情報５ｅに格納された表示禁止チャンネルを読み出してこれらに該当するチャンネルのボタンは液晶タッチパネル３２に表示しないようにする。
図１０は、レストラン等で男性と女性とで料金設定を変更しているような場合の液晶タッチパネル３２の情報の違いを示したものである。
リモコン１００１，１００２にはそれぞれ操作者（所持者）の性別（男，女）がそれぞれのＲＡＭ５のユーザ情報５ｅに登録されている。
図示しないレストランの店頭で当該レストランのステーション１１にリモコン１００１，１００２を向けると、ステーション１１からのメニューデータが各リモコン１００１，１００２に受信される。
各リモコン１００１，１００２では、メニューデータ受信部２６ａで受信されたメニューデータが、ＲＡＭ５内のメニュー識別情報５ａ，表示レイアウト情報５ｂ，ボタンレイアウト情報５ｃ，コマンド情報５ｄとして格納される。
次に、メニュー表示部２６ｂ（メニュー表示制御プログラム６ｂ）は、ＲＡＭ５内のユーザ情報５ｅから性別の情報を読み出して、この性別に対応したメニューボタンを液晶タッチパネル３２に表示する。
このとき、リモコン１００１のユーザ情報５ｅには性別として「男性」が、リモコン１００２のユーザ情報５ｅには性別として「女性」がそれぞれ登録されているため、リモコン１００１と１００２とではそれぞれ男性用メニューボタン「男性食べ放題４０００円」と、女性用メニューボタン「女性食べ放題３０００円」というように異なる情報が表示される。
なお、各リモコン１００１，１００２の「決定ボタン」を操作者が操作することによって当該決定コマンドが通信装置７ｂを介してレストランのステーション１１の受信装置１２に受信され、予約またはオーダーが完了するようになっている。
図１１は、複数台のテレビ受信機１１０１，１１０２，１１０３とリモコン１１０４，１１０５，１１０６の対応関係を示したものである。
各テレビ受信機１１０１，１１０２，１１０３にはそれぞれステーション１１０２ａ，１１０２ｂ，１１０２ｃが設けられている。
この例において、リモコン側の通信装置７ａ，７ｂと各ステーション側の通信装置６１とは約２ｃｍ以内での至近距離での赤外線通信のみしか受け付けない特性を有している。
たとえば、初期設定において、リモコン１１０３ａをテレビ受信機１１０１ａのステーション１１０２ａに近接させて当該ステーションから初期設定情報を受け取る。この初期設定情報には、当該テレビ受信機１１０１ａのＩＤ情報が格納されている。
この初期設定情報は、通信装置７ａからＲＡＭ５に引き渡される。メニューデータ受信制御プログラム６ａは、この初期設定情報をＲＡＭ５のユーザ情報５ｅに書き込む。
この初期設定情報によって、その後は、当該リモコン１１０３ａは各ステーション１１０２ａ，１１０２ｂ，１１０２ｃから受け取ったメニューデータの中からステーション１１０２ａのメニューデータのみを選別して液晶タッチパネル３２に表示することができるようになる。
これと同様に、リモコン１１０３ｂはテレビ受信機１１０１ｂのＩＤ情報が、リモコン１１０３ｃにはテレビ受信機１１０１ｃのＩＤ情報がそれぞれ登録される。
このような各々のリモコンでの初期設定情報により、リモコン１１０３ａではテレビ受信機１１０１ａのみが操作可能となり、リモコン１１０３ｂではテレビ受信機１１０１ｂのみが、リモコン１１０３ｃではテレビ受信機１１０１ｃのみが操作可能となる。
図１２は、リモコン本体１を用いて自動販売機１２０１の商品を購入する場合の液晶タッチパネル３２の表示例である。
リモコン本体１のＲＡＭ５のユーザ情報５ｅには、初期情報として操作者（所持者）のクレジットカード番号が登録されている。
自動販売機１２０１のステーション１１からメニューデータを受信すると、メニューデータ受信制御プログラム６ａは各情報をＲＡＭ５に格納する。
そして、メニュー表示制御プログラム６ｃは当該情報に基づいて表示データを生成し、液晶タッチパネル３２にメニューボタンを表示する。
次に、操作者（所持者）が液晶タッチパネル３２上に表示された「林檎ジュース」を選択して「購入ボタン」を押すと、メニュー入力制御プログラム６ｃはこれを検出して、注文コマンドとしてコマンド送信制御プログラム６ｄに引き渡す。
コマンド送信制御プログラム６ｄは、当該「林檎ジュース」の注文コマンドを通信装置７ｂを通じてステーション１１の受信装置１２に送信する。
このとき、コマンド送信制御プログラム６ｄは、ＲＡＭ５中のユーザ情報５ｅに格納された操作者（所持者）のクレジットカード番号をステーション１１の受信装置１２に送信する。
注文コマンドを受け付けた自動販売機１１は注文コマンドに対応した商品（ここでは「林檎ジュース」）を機器の受け取り口に排出するとともに、受信したクレジットカード番号を図示しない決済センターに通知する。
図１３は、レストランの店頭でのリモコンでの予約情報が厨房での受注パネル１３０２の表示に反映される例を示したものである。
レストラン１３０１の店頭にあるステーション１１からメニューデータを受信すると、リモコン本体１のメニュー表示制御プログラム６ｃは当該情報に基づいて表示データを生成し、液晶タッチパネル３２にメニューボタンを表示する。
次に、操作者（所持者）が液晶タッチパネル３２上に表示されたメニュー（たとえば「ハンバーグ」、「ステーキ」等を選択して「注文ボタン」（図示せず）を押すと、メニュー入力制御プログラム６ｃはこれを検出して、注文コマンドとしてコマンド送信制御プログラム６ｄに引き渡す。
コマンド送信制御プログラム６ｄは、この注文コマンドを通信装置７ｂを通じてステーション１１の受信装置１２に送信する。
注文コマンドを受け付けたレストラン１３０１では、注文コマンドに対応したオーダーを、厨房のパネルに表示し、当該オーダー商品の作成を指示する。
なお、このとき、図１２で説明したようにリモコン本体１のＲＡＭ５のユーザ情報５ｅに登録されたクレジットカード番号を注文コマンドとともに送信するようにしてレストラン１３０１における支払決済を同時に行うようにしてもよい。
図１４は、区役所や市役所におけるリモコンの使用例を示したものである。
役所には、住民サービス毎にステーションが設けられている。この図の例では、印鑑証明用ステーション１４０１，住民票用ステーション１０４２および戸籍用ステーション１４０３である。
たとえば、リモコン本体１の操作者（所持者）がリモコン本体１を印鑑証明ステーション１４０１のリモコン差込口１４０１ａに差し込むことにより、印鑑証明ステーション１４０１よりメニューデータがリモコン本体１側にダウンロードされる。
通信装置７ａを介してダウンロードされたメニューデータは、メニューデータ受信制御プログラム６ａによってＲＡＭ５内に各情報として格納される。
次に、メニュー表示制御プログラム６ｂは、前記ＲＡＭ５内に格納された各情報に基づいてメニュー画面を生成し、液晶タッチパネル３２に表示する。このようにして印鑑証明の受領に際して必要なメニューが表示される。
リモコン本体１の液晶タッチパネル３２上にはペン入力領域が設定されており、スタイラスペン１４０４を用いて必要事項（通数等）を操作者（所持者）が情報を入力可能となっている。
前記で入力された情報は、ユーザ情報５ｅに登録された住所、氏名の情報等とともに、申請情報としてコマンド送信プログラム６ｄによって通信装置７ｂより印鑑証明ステーション１４０１の受信装置１２に対して送信される。印鑑証明ステーション１４０１では、このようにして受け付けた申請に対して受け付番号を送信する。
受付番号を受信したリモコン本体１は、この受付番号をメニュー表示制御プログラム６ｂによって液晶タッチパネル３２上に表示する。図１４では、この印鑑証明の申請者が受付番号として「０５」番を得たことを示している。
操作者（所持者）は、この受付番号にしたがった受付窓口で書類（印鑑証明）を受け取ることになる。
産業上の利用可能性
本発明は、テレビ受信機やエアコン等の相手先機器または所持者の個人情報に基づいた表示が可能であり、かつ飲食店や諸手続に利用可能なリモコンとして用いることができる。
【図面の簡単な説明】
図１は、本発明の実施例であるリモコンの内部構成を示すブロック図である。
図２は、実施例のリモコン内部でのデータの流れを示す機能ブロック図である。
図３は、実施例のリモコンの初期設定画面を示す説明図である。
図４は、実施例のリモコンをテレビ受信機用リモコンとして用いる場合とエアコン用リモコンとして用いる場合のインターフェース画面の差異を示す図である。
図５は、実施例のリモコンを飲食店の店頭で用いる場合の概念図である。
図６は、実施例のステーションのデータの流れを示す機能ブロック図である。
図７は、実施例のステーションの内部構成を示すブロック図である。
図８は、実施例のリモコンを劇場で用いる場合のインターフェース画面の差異を示す説明図である。
図９は、実施例のリモコンを視聴年齢制限のあるテレビ受信機で使用する場合のインターフェース画面の差異を示す説明図である。
図１０は、実施例のリモコンを男女で料金の差異のある飲食店で使用する場合のインターフェース画面の差異を示す説明図である。
図１１は、実施例のリモコンをテレビ受信機毎に機能させるための初期設定の概念を示す説明図である。
図１２は、実施例のリモコンを用いて自動販売機での商品購入を行う概念図である。
図１３は、実施例のリモコンを用いて飲食店の厨房での注文表示と連動させる場合の概念図である。
図１４は、実施例のリモコンを用いて役所での書類申請を行う場合の概念図である。
【図１】
2002021877.tif 000003
【図２】
2002021877.tif 000004
【図３】
2002021877.tif 000005
【図４】
2002021877.tif 000006
【図５】
2002021877.tif 000007
【図６】
2002021877.tif 000008
【図７】
2002021877.tif 000009
【図８】
2002021877.tif 000010
【図９】
2002021877.tif 000011
【図１０】
2002021877.tif 000012
【図１１】
2002021877.tif 000013
【図１２】
2002021877.tif 000014
【図１３】
2002021877.tif 000015
【図１４】
2002021877.tif 000016
【国際調査報告】
2002021877.tif 000017
2002021877.tif 000018
2002021877.tif 000019
2002021877.tif 000020